【手続補正書】
【提出日】平成24年4月25日(2012.4.25)
【手続補正１】
【補正対象書類名】特許請求の範囲
【補正対象項目名】全文
【補正方法】変更
【補正の内容】
【特許請求の範囲】
【請求項１】
現像剤像を担持する像担持体と、回動自在である中間転写体と、前記中間転写体を介して前記像担持体と転写ニップ部を形成し、前記像担持体上の現像剤像を前記中間転写体の表面に転写する転写器と、を有する画像形成装置において、
前記転写器は、回転する前記中間転写体と摺擦するシート部材と、前記転写ニップ部の位置で前記シート部材を前記中間転写体に向って押圧する弾性部材と、を有し、前記シート部材は、前記弾性部材が前記シート部材を押圧する領域に前記シート部材と線膨張係数が異なる補強部を有することを特徴とする画像形成装置。
【請求項２】
前記シート部材は、導電性を有することを特徴とする請求項１に記載の画像形成装置。
【請求項３】
前記補強部は、前記シート部材に接着されていることを特徴とする請求項１又は請求項２に記載の画像形成装置。
【請求項４】
前記補強部は、前記シート部材と一体的に形成されていることを特徴とする請求項１又は請求項２に記載の画像形成装置。
【請求項５】
前記弾性部材は、内部に空隙を有するスポンジ状の圧縮変形が可能な部材からなり、前記スポンジの表面は空孔が少ないスキン層が設けられ、前記スキン層は、前記シート部材と当接する面に設けられることを特徴とする請求項１から請求項４のいずれか１項に記載の画像形成装置。
【請求項６】
前記補強部は、前記補強部が前記弾性部材によって前記中間転写体に向かって押圧される領域に、前記シート部材と線膨張係数が同じ補正部を有することを特徴とする請求項１から請求項５のいずれか１項に記載の画像形成装置。
【請求項７】
前記補強部の線膨張係数は、前記シート部材の線膨張係数よりも低いことを特徴とする請求項１から請求項６のいずれか１項に記載の画像形成装置。
【請求項８】
現像剤像を担持する像担持体と、回動自在であり、転写材を担持する転写材担持体と、前記転写材担持体を介して前記像担持体と転写ニップ部を形成し、前記像担持体上の現像剤像を前記転写材担持体の表面に転写する転写器と、を有する画像形成装置において、
前記転写器は、回転する前記転写材担持体と摺擦するシート部材と、前記転写ニップ部の位置で前記シート部材を前記転写材担持体に向って押圧する弾性部材と、を有し、前記シート部材は、前記弾性部材が前記シート部材を押圧する領域に前記シート部材と線膨張係数が異なる補強部を有することを特徴とする画像形成装置。
【請求項９】
前記シート部材は、導電性を有することを特徴とする請求項８に記載の画像形成装置。
【請求項１０】
前記補強部は、前記シート部材に接着されていることを特徴とする請求項８又は請求項９に記載の画像形成装置。
【請求項１１】
前記補強部は、前記シート部材と一体的に形成されていることを特徴とする請求項８又は請求項９に記載の画像形成装置。
【請求項１２】
前記弾性部材は、内部に空隙を有するスポンジ状の圧縮変形が可能な部材からなり、前記スポンジの表面は空孔が少ないスキン層が設けられ、前記スキン層は、前記シート部材と当接する面に設けられることを特徴とする請求項８から請求項１１のいずれか１項に記載の画像形成装置。
【請求項１３】
前記補強部は、前記補強部が前記弾性部材によって前記転写材担持体に向かって押圧される領域に、前記シート部材と線膨張係数が同じ補正部を有することを特徴とする請求項８から請求項１２のいずれか１項に記載に画像形成装置。
【請求項１４】
前記補強部の線膨張係数は、前記シート部材の線膨張係数よりも低いことを特徴とする請求項８から請求項１３のいずれか１項に記載の画像形成装置。
【手続補正２】
【補正対象書類名】明細書
【補正対象項目名】００１３
【補正方法】変更
【補正の内容】
【００１３】
前記目的を達成するため、本発明の代表的な構成は、現像剤像を担持する像担持体と、回動自在である中間転写体と、中間転写体を介して前記像担持体と転写ニップ部を形成し、前記像担持体上の現像剤像を前記中間転写体の表面に転写する転写器と、を有する画像形成装置において、前記転写器は、回転する前記中間転写体と摺擦するシート部材と、前記転写ニップ部の位置で前記シート部材を前記中間転写体に向って押圧する弾性部材と、を有し、前記シート部材は、前記弾性部材が前記シート部材を押圧する領域に前記シート部材と線膨張係数が異なる補強部を有することを特徴とする。
【手続補正３】
【補正対象書類名】明細書
【補正対象項目名】００１４
【補正方法】変更
【補正の内容】
【００１４】
前記目的を達成するため、本発明の他の代表的な構成は、現像剤像を担持する像担持体と、回動自在であり、転写材を担持する転写材担持体と、前記転写材担持体を介して前記像担持体と転写ニップ部を形成し、前記像担持体上の現像剤像を前記転写材担持体の表面に転写する転写器と、を有する画像形成装置において、前記転写器は、回転する前記転写材担持体と摺擦するシート部材と、前記転写ニップ部の位置で前記シート部材を前記転写材担持体に向って押圧する弾性部材と、を有し、前記シート部材は、前記弾性部材が前記シート部材を押圧する領域に前記シート部材と線膨張係数が異なる補強部を有することを特徴とする。
【手続補正４】
【補正対象書類名】明細書
【補正対象項目名】００２５
【補正方法】変更
【補正の内容】
【００２５】
10ａ〜10ｄは、トナー像の１次転写を行うためのシート状転写器（転写器）であり、このシート状転写器10ａ〜10ｄは、感光ドラム１ａ〜１ｄとで中間転写ベルト13を挟むように個別に配置されている。また、シート状転写器10ａ〜10ｄには、電圧供給手段である１次転写電源22ａ〜22ｄが接続され、２次転写ローラ25には、２次転写電源26が接続されている。
【手続補正５】
【補正対象書類名】明細書
【補正対象項目名】００３８
【補正方法】変更
【補正の内容】
【００３８】
台座33には緩衝部材30（弾性部材）が固定され、一体となって図中の上下方向に移動可能となっている。装置本体に固定された転写フレーム35と台座33との間にはバネ36が介装され、感光ドラム１ａへの押圧力を生成している。
【手続補正６】
【補正対象書類名】明細書
【補正対象項目名】００３９
【補正方法】変更
【補正の内容】
【００３９】
押圧力を受けた状態では緩衝部材30は自身が変形して補強シート32への押圧力を当接面内で均すと同時に、転写シート31及び中間転写体13が感光ドラム１ａの形状にならうことによって、転写シート31と中間転写ベルト13の当接領域を広げ、中間転写ベルト13と感光ドラム１ａの転写ニップ領域（転写ニップ部）、すなわちトナー像に対して圧力と電界の両方が作用する領域を広げる。
【手続補正７】
【補正対象書類名】明細書
【補正対象項目名】０１０６
【補正方法】変更
【補正の内容】
【０１０６】
［実施形態３］
図10は実施形態３のシート状転写器を説明する模式図である。実施形態１と同一構成部分には同一符号を付して説明する。シート部材は、転写シート31と転写シート３１の中間転写ベルト13と接する面とは反対側の面に補強シート32を有する。さらに、シート部材は転写シート31と同一厚さで同一材質の反り補正シート29（補正部）が順次一体に設けられている。転写シート31、補強シート32、反り補正シート29は接着、熱溶着、一体成型等により一体形成されている。